(57)【要約】【課題】  全数重量測定した場合と同じ精度を維持しつつ生産性の向上を図ることができる粉末成形品の製造方法及び製造装置を提供する。【解決手段】  機械式プレスに設置した金型を用いて粉末成形品を製造する方法であって、成形時にプレスの加圧力を検出して、加圧力が予め設定した限定加圧力範囲内であるか否かを判定し（Ｓ２０３）、限定加圧力範囲外と判定された場合に当該成形品の重量を測定して（Ｓ２０６）、重量が規定重量範囲内であるか否かを判定し（Ｓ２０７）、これら限定加圧力範囲内又は規定重量範囲内と判定された成形品を良品とし（Ｓ２０４）、規定重量範囲外と判定された成形品を不良品とする（Ｓ２０９）。【選択図】  図３
2006175499.tif 000002
【特許請求の範囲】
【請求項１】
機械式プレスに設置した金型を用いて粉末成形品を製造する方法であって、
成形時にプレスの加圧力を検出して、該加圧力が予め設定した限定加圧力範囲内であるか否かを判定し、該限定加圧力範囲外と判定された場合に当該成形品の重量を測定して、該重量が規定重量範囲内であるか否かを判定し、これら限定加圧力範囲内又は規定重量範囲内と判定された成形品を良品とし、規定重量範囲外と判定された成形品を不良品とすることを特徴とする粉末成形品の製造方法。
【請求項２】
請求項１記載の粉末成形品の製造方法において、
前記限定加圧力範囲よりも大きい第２加圧力範囲を設定しておき、成形時の加圧力が第２加圧力範囲外であると判定された場合には不良品とすることを特徴とする粉末成形品の製造方法。
【請求項３】
請求項１記載の粉末成形品の製造方法において、
前記規定重量範囲外と判定された場合に、前記金型内への粉末材料の充填高さをフィードバック制御することを特徴とする粉末成形品の製造方法。
【請求項４】
請求項２記載の粉末成形品の製造方法において、
前記規定重量範囲外又は前記第２加圧力範囲外と判定された場合に、前記金型内への粉末材料の充填高さをフィードバック制御することを特徴とする粉末成形品の製造方法。
【請求項５】
機械式プレスに設置した金型を用いて粉末成形品を製造する装置であって、
成形時にプレスの加圧力を検出する圧力検出手段と、該加圧力が予め設定した限定加圧力範囲内であるか否かを判定する圧力判定手段と、該限定加圧力範囲外と判定された場合に当該成形品の重量を測定する重量測定手段と、該重量が規定重量範囲内であるか否かを判定する重量判定手段と、該重量判定手段によって前記規定重量範囲外と判定された成形品を不良品として排出する不良品排出手段とを備えることを特徴とする粉末成形品の製造装置。
【請求項６】
請求項５記載の粉末成形品の製造装置において、
成形時の加圧力が前記限定加圧力範囲より大きい第２加圧力範囲内であるか否かを判定する第２圧力判定手段を備え、前記不良品排出手段は、さらに、前記第２圧力判定手段により第２加圧力範囲外であると判定された成形品をも排出する構成であることを特徴とする粉末成形品の製造装置。
【請求項７】
請求項５記載の粉末成形品の製造装置において、
前記重量判定手段によって前記規定重量範囲外と判定された成形品の重量又は成形時の加圧力を基に、前記金型内への粉末材料の充填高さをフィードバック制御するフィードバック制御手段を有していることを特徴とする粉末成形品の製造装置。
【請求項８】
請求項６記載の粉末成形品の製造装置において、
前記重量判定手段及び前記第２圧力判定手段によって前記規定重量範囲外又は前記第２加圧力範囲外と判定された成形品の重量又は成形時の加圧力を基に、前記金型内への粉末材料の充填高さをフィードバック制御するフィードバック制御手段を有していることを特徴とする粉末成形品の製造装置。
【発明の詳細な説明】
【技術分野】
【０００１】
本発明は、粉末成形品の製造方法及び製造装置に関する。
【背景技術】
【０００２】
従来、粉末成形装置は、金型内に充填された粉末材料を上パンチと下パンチによって圧縮し成形品を成形するものである。このとき、金型内に充填される粉末材料の充填量は、金型内の充填高さ（リフト量）、すなわち体積で管理されているため、成形品の重量にばらつきが生じやすい。このため、決められた数量の成形品の中からサンプルを抜き取り、重量を測定し、規格に適合しない成形品が検出された場合には、その結果を粉末材料の充填量にフィードバックし、規格に適合する成形品が得られるよう調整を図っている。（例えば、特許文献１参照）
【特許文献１】実開平５−１６２１６号公報
【発明の開示】
【発明が解決しようとする課題】
【０００３】
しかしながら、重量を測定して判定する手法は、正確に成形品の精度を確認することができるが、サンプルを天秤に載せたのち、サンプルが秤量されるまでに時間を要するため、全数秤量するのでは生産性の悪化を招くという問題があった。
【０００４】
一方、例えば２０個の成形品に対して１個のサンプルを秤量して生産管理する場合には、生産精度の低下を招くという問題があった。
【０００５】
本発明は、上記事情を鑑み、全数重量測定した場合と同じ精度を維持しつつ生産性の向上を図ることができる粉末成形品の製造方法及び製造装置を提供することを目的とする。
【課題を解決するための手段】
【０００６】
上記の目的を達するために、この発明は以下の手段を提供している。
【０００７】
請求項１に係る発明は、機械式プレスに設置した金型を用いて粉末成形品を製造する方法であって、成形時にプレスの加圧力を検出して、該加圧力が予め設定した限定加圧力範囲内であるか否かを判定し、該限定加圧力範囲外と判定された場合に当該成形品の重量を測定して、該重量が規定重量範囲内であるか否かを判定し、これら限定加圧力範囲内又は規定重量範囲内と判定された成形品を良品とし、規定重量範囲外と判定された成形品を不良品とすることを特徴とする。
【０００８】
すなわち、機械式プレスの場合、一定高さまでプレスされるので、パンチに作用する圧力と金型内の粉末重量とがほぼ比例関係になる。そこで、この成形時に検出されるプレスの加圧力を利用して、秤量判定においても確実に良品とされる限定加圧力範囲を予め設定し、この限定加圧力範囲の加圧力で成形された成形品はその時点で良品とし、限定加圧力範囲外の加圧力で成形された成形品に対してのみ重量を測定して全ての成形品の良品、不良品選別を行うことができる。
【０００９】
請求項２に係る発明は、請求項１記載の粉末成形品の製造方法において、前記限定加圧力範囲よりも大きい第２加圧力範囲を設定しておき、成形時の加圧力が第２加圧力範囲外であると判定された場合には不良品とすることを特徴とする。
【００１０】
この発明に係る粉末成形品の製造方法においては、確実に良品とされる限定加圧力範囲に加えて、その範囲外の加圧力が検出された場合には確実に不良品とされる第２加圧力範囲を設定することにより、成形時の加圧力の検出によって確実に良品とされる成形品と、確実に不良品とされる成形品とを選別することができる。また、限定加圧力範囲外で、かつ第２加圧力範囲内の加圧力で成形された成形品に対してのみ重量を測定して全ての成形品の良品、不良品選別を行うことができる。
【００１１】
請求項３に係る発明は、請求項１記載の粉末成形品の製造方法において、前記規定重量範囲外と判定された場合に、前記金型内への粉末材料の充填高さをフィードバック制御することを特徴とする。
【００１２】
この発明に係る粉末成形品の製造方法においては、規定重量範囲外であることによって不良品が特定され、不良品が発生した場合には、充填高さがフィードバック制御されるので、一定重量の成形品を連続的に成形することができる。
【００１３】
請求項４に係る発明は、請求項２記載の粉末成形品の製造方法において、前記規定重量範囲外又は前記第２加圧力範囲外と判定された場合に、前記金型内への粉末材料の充填高さをフィードバック制御することを特徴とする。
【００１４】
この発明に係る粉末成形品の製造方法においては、規定重量範囲又は第２加圧力範囲の範囲外であることによって不良品が特定され、不良品が発生した場合には、充填高さがフィードバック制御されるので、一定重量の成形品を連続的に成形することができる。
【００１５】
請求項５に係る発明は、機械式プレスに設置した金型を用いて粉末成形品を製造する装置であって、成形時にプレスの加圧力を検出する圧力検出手段と、該加圧力が予め設定した限定加圧力範囲内であるか否かを判定する圧力判定手段と、該限定加圧力範囲外と判定された場合に当該成形品の重量を測定する重量測定手段と、該重量が規定重量範囲内であるか否かを判定する重量判定手段と、該重量判定手段によって前記規定重量範囲外と判定された成形品を不良品として排出する不良品排出手段とを備えることを特徴とする。
【００１６】
この発明に係る粉末成形品の製造装置においては、圧力検出手段によって成形時の加圧力を検出し、検出された加圧力が限定加圧力範囲内であるか否かを圧力判定手段によって判定し、限定加圧力範囲内と判定された成形品を良品として選別することができる。また、限定加圧力範囲外と判定された成形品は、重量測定手段によって重量が測定され、重量が規定範囲内であるか否かを重量判定手段によって判定し、規定重量範囲外と判定された成形品を不良品として選別することができる。さらに、不良品とされた成形品を不良品排出手段によって排除することができる。この場合、圧力判定手段により限定加圧力範囲外であると判定された成形品に対してのみ重量を測定して全ての成形品の良品、不良品選別を行うことができる。
【００１７】
請求項６に係る発明は、請求項５記載の粉末成形品の製造装置において、成形時の加圧力が前記限定加圧力範囲より大きい第２加圧力範囲内であるか否かを判定する第２圧力判定手段を備え、前記不良品排出手段は、さらに、前記第２圧力判定手段により第２加圧力範囲外であると判定された成形品をも排出する構成であることを特徴とする。
【００１８】
この発明に係る粉末成形品の製造装置においては、圧力検出手段によって検出された成形時の加圧力が、第２加圧力判定手段によって第２加圧力範囲内であるか否かを判定し、第２加圧力範囲外と判定された成形品を不良品として選別することができる。また、第２加圧力判定手段により不良品とされた成形品をも不良品排出手段によって排除することができる。この場合、限定加圧力範囲外および第２加圧力範囲内となる成形品に対してのみ重量を測定して全ての成形品の良品、不良品選別を行うことができる。
【００１９】
請求項７に係る発明は、請求項５記載の粉末成形品の製造装置において、前記重量判定手段によって前記規定重量範囲外と判定された成形品の重量又は成形時の加圧力を基に、前記金型内への粉末材料の充填高さをフィードバック制御するフィードバック制御手段を有していることを特徴とする。
【００２０】
この発明に係る粉末成形品の製造装置においては、重量判定手段によって規定重量範囲外となる不良品が特定され、不良品が発生した場合には、フィードバック制御手段によって充填高さがフィードバック制御されるので、一定重量の成形品を連続的に成形することができる。
【００２１】
請求項８に係る発明は、請求項６記載の粉末成形品の製造装置において、前記重量判定手段又は前記第２圧力判定手段によって前記規定重量範囲外又は前記第２加圧力範囲外と判定された成形品の重量及び成形時の加圧力を基に、前記金型内への粉末材料の充填高さをフィードバック制御するフィードバック制御手段を有していることを特徴とする。
【００２２】
この発明に係る粉末成形品の製造装置においては、重量判定手段又は第２圧力判定手段によって規定重量範囲又は第２加圧力範囲の２つの範囲外となる不良品が特定され、不良品が発生した場合には、フィードバック制御手段によって充填高さがフィードバック制御されるので、一定重量の成形品を連続的に成形することができる。
【発明の効果】
【００２３】
請求項１に係る発明によれば、成形時に検出されるプレスの加圧力を利用して、秤量判定においても確実に良品とされる限定加圧力範囲を予め設定し、この限定加圧力範囲の加圧力で成形された成形品はその時点で良品とし、限定加圧力範囲外の加圧力で成形された成形品に対してのみ重量を測定して全ての成形品の良品、不良品選別を行うことができ、全数重量測定した場合と同じ精度を維持しつつ生産性の向上を図ることができる。
【００２４】
請求項２に係る発明によれば、確実に良品とされる限定加圧力範囲に加えて、その範囲外の加圧力が検出された場合には確実に不良品とされる第２加圧力範囲を設定し、成形時の加圧力の検出によって確実に良品とされる成形品と、確実に不良品とされる成形品とを選別することができる。また、限定加圧力範囲外で、かつ第２加圧力範囲内の加圧力で成形された成形品に対してのみ重量を測定して全ての成形品の良品、不良品選別を行うことができるため、全数重量測定した場合と同じ精度を維持しつつ生産性の向上を図ることができる。
【００２５】
請求項３に係る発明によれば、規定重量範囲外であることによって不良品が特定され、不良品が発生した場合には、充填高さがフィードバック制御されるので、一定重量の成形品を連続的に成形することができ、生産精度及び生産性の向上を図ることができる。
【００２６】
請求項４に係る発明によれば、規定重量範囲又は第２加圧力範囲の範囲外であることによって不良品が特定され、不良品が発生した場合には、充填高さがフィードバック制御されるので、一定重量の成形品を連続的に成形することができ、生産精度及び生産性の向上を図ることができる。
【００２７】
請求項５に係る発明によれば、圧力検出手段によって成形時の加圧力を検出し、検出された加圧力が限定加圧力範囲内であるか否かを圧力判定手段によって判定し、限定加圧力範囲内と判定された成形品を良品として選別することができる。また、限定加圧力範囲外と判定された成形品は、重量測定手段によって重量が測定され、重量が規定範囲内であるか否かを重量判定手段によって判定し、規定重量範囲外と判定された成形品を不良品として選別することができる。さらに、不良品とされた成形品を不良品排出手段によって排除することができる。この場合、圧力判定手段により限定加圧力範囲外であると判定された成形品に対してのみ重量を測定して全ての成形品の良品、不良品選別を行うことができるため、全数重量測定した場合と同じ精度を維持しつつ生産性の向上を図ることができる。
【００２８】
請求項６に係る発明によれば、圧力検出手段によって検出された成形時の加圧力が、第２加圧力判定手段によって第２加圧力範囲内であるか否かを判定し、第２加圧力範囲外と判定された成形品を不良品として選別することができる。また、第２加圧力判定手段により不良品とされた成形品をも不良品排出手段によって排除することができる。この場合、限定加圧力範囲外および第２加圧力範囲内となる成形品に対してのみ重量を測定して全ての成形品の良品、不良品選別を行うことができるため、全数重量測定した場合と同じ精度を維持しつつ生産性の向上を図ることができる。
【００２９】
請求項７に係る発明によれば、重量判定手段によって規定重量範囲外となる不良品が特定され、不良品が発生した場合には、フィードバック制御手段によって充填高さがフィードバック制御されるので、一定重量の成形品を連続的に成形することができ、生産精度及び生産性の向上を図ることができる。
【００３０】
請求項８に係る発明によれば、重量判定手段又は第２圧力判定手段によって規定重量範囲又は第２加圧力範囲の２つの範囲外となる不良品が特定され、不良品が発生した場合には、フィードバック制御手段によって充填高さがフィードバック制御されるので、一定重量の成形品を連続的に成形することができ、生産精度及び生産性の向上を図ることができる。
【発明を実施するための最良の形態】
【００３１】
以下、図１から図４を参照し、本発明の一実施形態に係る粉末成形品の製造方法及び製造装置について説明する。
【００３２】
本発明の一実施形態は、機械式プレス（図示例の場合はクランクプレス）Ｔに設置した金型を用いて粉末成形品を成形する粉末成形装置に関するものである。
【００３３】
図１から図２に示すように、粉末成形装置１は、支持テーブル２に固定されて充填部３を形成するダイ４と、ダイ４の上方に設けられ、充填部３に向かって進退可能に支持された上パンチ５と、充填部３に対して相対的に移動可能に取り付けられ、ダイ４とともに充填部３を画成する下パンチ６と、ダイ４の上面を摺動するフィーダーカップ７とから構成されている。この構成においては、ダイ４と上パンチ５と下パンチ６を合わせて金型８とされる。また、図１中の二点破線で囲まれた支持テーブル２と金型８とフィーダーカップ７が図２に示される粉末成形部９とされる。
【００３４】
支持テーブル２は、ロッド２ａによりヨークプレート２ｂに固定されており、ヨークプレート２ｂは、ヨークプレート２ｂを上下動させる下ラム２ｃに固定されている。また、支持テーブル２には、適宜手段によって搬送された成形品の重量を測定する重量測定手段１０が連続的に設けられ、重量測定手段１０には、測定した重量を判定する重量判定手段１１が接続されているとともに、重量判定手段１１によって不良品と判定された成形品を排出する不良品排出手段１２が設けられている。
【００３５】
上パンチ５は、上パンチ押え５ａによって上パンチプレート５ｂに固定されており、上パンチプレート５ｂは、上パンチプレート５ｂを上下動させる上ラム５ｃに固定されている。また、上パンチプレート５ｂには、成形時に上パンチ５が粉末材料Ｐに付加する加圧力が検出される圧力検出手段１３が設けられ、圧力検出手段１３には、検出した加圧力を判定する圧力判定手段１４と第２加圧力判定手段１５とが接続されている。
【００３６】
下パンチ６は、下パンチプレート６ａに固定されており、下パンチプレート６ａは、ボルスタ６ｂに固定されている。また、下パンチプレート６ａには、前述の圧力判定手段１４と第２圧力判定手段１５および重量判定手段１１の結果をフィードバック制御するフィードバック制御手段１６に接続され金型８内の充填高さＨ（リフト量）の調整を行う充填高さ調整手段１７が設けられている。
【００３７】
フィーダーカップ７は、下面を開口した箱型に形成されており、プレスの駆動手段に連結され支持プレート２の上面２ｄに摺動可能に配されている。また、フィーダーカップ７の上壁部７ａには可撓性を有する供給管７ｂが接続されており、この供給管７ｂのフィーダーカップ７と対向する端部７ｃには、フィーダーカップ７内部に粉末材料Ｐを供給するホッパー７ｄが設けられている。
【００３８】
ついで、上記の構成からなる粉末成形装置１の粉末成形品の製造方法について説明する。
【００３９】
上パンチ５を上昇させダイ４から離した状態で、フィーダーカップ７を充填部３の上面側に位置するように配置する。このとき、支持テーブル２と下パンチ６は、下ラム２ｃによって支持テーブル２が下方に変位されて、支持テーブル２の上面２ｄと下パンチ６の上面６ｃとが一致した状態とされている。
【００４０】
ついで、下ラム２ｃによってヨークプレート２ｂを上方に変位させ、支持テーブル２を上方に位置させる。支持テーブル２が上方に変位されると下パンチ６が相対的に下方に位置することとなり、充填部３が画成される。また、支持テーブル２の変位量は、所定の充填高さＨ（リフト量）となるように調整される。
【００４１】
充填部３が画成されるとともに、充填部３の上面側に位置されたフィーダーカップ７内部の粉末材料Ｐが充填部３に落下して供給される。充填が完了した段階で、フィーダーカップ７を充填部３の上面側から支持テーブル２上を摺動させつつ、後退させる。このとき、供給された粉末材料Ｐの上面が、支持テーブル２に当接するフィーダーカップ７の側壁部７ｅにより支持テーブル２の上面２ｄと一致するよう摺りきられ、これにより、充填部３に供給された粉末材料Ｐを所定の充填量とすることができる。
【００４２】
ついで、上パンチ５をダイ４に嵌合させつつ一定高さまで下降させるとともに、下パンチ６と上パンチ５とにより粉末材料Ｐを圧縮して固め、成形品を成形する。このとき、上パンチ５が一定高さまで降下して粉末材料Ｐを圧縮する際の加圧力が圧力検出手段１３により検出される。検出された加圧力は、詳細は後述の圧力判定手段１４と第２圧力判定手段１５とによって成形品の判定に用いられる。
【００４３】
その後、上パンチ５を上昇させるとともに、支持テーブル２を下方に変位させ、下パンチ６によって成形品が充填部３から抜き出される。抜き出された成形品は順次、適宜手段によって重量測定手段１０に搬送される。このとき、圧力判定手段１４によって良品と判定された成形品及び第２圧力判定手段１５によって不良品と判定された成形品は、そのまま、重量測定手段１０上を通過されるが、それ以外の成形品は、重量測定手段１０によってその重量が測定される。この重量測定手段１０によって測定された重量は、詳細は後述の重量判定手段１１によって良否が判定される。
【００４４】
そして、この重量測定手段１０を経由した各成形品のうち、第２圧力判定手段１５及び重量判定手段１１によって不良品と判定された成形品は、次の不良品排出手段１２で排出される。
【００４５】
ここで、圧力判定手段１４と第２圧力判定手段１５及び重量判定手段１１によって不良品と判定された成形品の成形時の加圧力及び重量はフィードバック制御手段１６によって充填高さ調整手段１７にフィードバックされ、良品が成形されるように金型８内の充填高さＨ（リフト量）が調整される。
【００４６】
このような成形サイクルが繰り返し行われ、複数の成形品が連続的に成形される。
【００４７】
ここで、図３を参照し、圧力判定手段１４と第２圧力判定手段１５及び重量判定手段１１による成形品の良品、不良品の判定方法について説明する。
【００４８】
図３に示す条件設定（Ｓ２０１）では、成形品の設計重量に許容誤差を加えた規定重量範囲を定め、ついで、この規定重量範囲内の成形品が確実に得られる成形時の加圧力範囲を限定加圧力範囲として設定する。また、その加圧力範囲外の加圧力で成形された成形品は、確実に規定重量範囲外となる第２加圧力範囲を設定する。これらの条件を設定したのち、粉末成形装置１により成形品の成形を行い、成形時の加圧力を圧力検出手段１３によって成形品毎に測定する（Ｓ２０２）。
【００４９】
ついで、成形品は、圧力判定手段１４によって成形時の加圧力が限定加圧力範囲内であるか否かが判定される（Ｓ２０３）。加圧力が限定加圧力範囲内である場合には、成形品はその時点で良品として整列され（Ｓ２０４）、限定加圧力範囲外である場合には、第２圧力判定手段１５によって第２加圧力範囲内であるか否かが判定される（Ｓ２０５）。第２加圧力範囲外である場合には、その時点で不良品として不良品排出手段１２によって排出される（Ｓ２０９）。第２加圧力範囲内である場合には、成形品は良品、不良品どちらの可能性もあるため、重量測定手段１０によって重量が測定され（Ｓ２０６）、重量判定手段１１によって重量が規定重量範囲内であるか否かが判定される（Ｓ２０７）。重量が、規定重量範囲内である場合には成形品は良品として整列され（Ｓ２０４）、規定重量範囲外である場合には不良品として不良品排出手段１２によって排出される（Ｓ２０７）。
【００５０】
ここで、不良品と判定される成形品が検出された場合には、不良品の重量及び成形時の加圧力がフィードバック制御手段１６によって条件設定（Ｓ２０１）にフィードバックされ、この結果に基づき粉末材料の充填量、つまり充填高さＨ（リフト量）が調整され、以後不良品が成形されないよう調整される（Ｓ２０８）。
【００５１】
ついで、図４を参照し、限定加圧力範囲および第２加圧力範囲の設定例について説明する。
【００５２】
図４は、粉末成形装置１を使用し複数の成形品を連続的に成形したときの成形品の重量と成形時の加圧力を示すものである。ここで、縦軸は成形時の加圧力を示し、横軸は重量を示している。図４に示された成形品は、幅７ｍｍ、高さ１１ｍｍ、奥行き７ｍｍの立方体形状のものであり、設計重量が１．９７０ｇとされ、設計重量に対して±０．０１ｇの重量誤差が許容されている。
【００５３】
横軸の重量１．９６０ｇから１．９８０ｇを示す破線で区切られた範囲が成形品を良品と判定する規定重量範囲であり、縦軸の実線で区切られた加圧力の範囲が、確実に成形品が良品と判定される限定加圧力範囲とされている。また、縦軸の一点破線で区切られた加圧力の範囲は、この範囲外の成形品が確実に不良品と判定される第２加圧力範囲とされている。
【００５４】
各種線で区切られ、ＡからＦで示されたそれぞれの領域は、成形品の良品、不良品の区分を示している。
【００５５】
領域Ａは、成形品が限定加圧力範囲内の加圧力で成形され、確実に良品と判定される領域を示している。また、領域Ｃは、成形時の加圧力が限定加圧力範囲内であるが規定重量範囲外となり、成形品が不良品と判定される領域を示している。
【００５６】
ここで、限定加圧力範囲は、先行して成形された幾つかの成形品、または過去に生産された同規格の成形品の重量と加圧力を基に、限定加圧力範囲内の加圧力で成形された成形品が確実に良品となるように設定される。このとき、限定加圧力範囲の加圧力で成形された成形品は必ず領域Ａに該当するように設定される。これは、成形品の重量と加圧力はほぼ比例の関係にあることに起因しており、この重量と加圧力の比例関係によって限定加圧力範囲の加圧力で成形された成形品を全て領域Ａに該当させることが可能になる。よって、限定加圧力範囲で成形された成形品は必ず領域Ａに該当するように限定加圧力範囲が設定できるため、領域Ｃに該当する成形品は存在しないこととなる。
【００５７】
領域Ｂ、Ｄは、成形品が第２加圧力範囲の加圧力で成形され、かつ領域Ａの確実に良品と判定される成形品を除いた成形品、つまり、良品、不良品の成形品が混在する領域を示している。この領域Ｂ、Ｄに該当する成形品が重量の測定対象であり、重量測定によって良品と判定される成形品は領域Ｂに該当し、不良品と判定される成形品は領域Ｄに該当することとなる。また、領域Ｅ、Ｆは、第２加圧力範囲よりも大きな加圧力の範囲で成形品が成形され、確実に規定重量範囲外となり不良品と判定される領域を示している。
【００５８】
ここで、第２加圧力範囲は、限定加圧力範囲の設定と同様に、先行して成形された幾つかの成形品、または過去に生産された同規格の成形品の重量と加圧力を基に、この範囲外で成形された成形品が確実に不良品となるように設定される。このとき、第２加圧力範囲外の加圧力で成形された成形品は必ず領域Ｅに該当するように設定される。これも成形品の重量と加圧力がほぼ比例の関係にあることに起因しており、この重量と加圧力の比例関係によって第２加圧力範囲外の加圧力で成形された成形品を全て領域Ｅに該当させることが可能になる。よって、第２加圧力範囲外で成形された成形品は必ず領域Ｅに該当するように第２加圧力範囲が設定できるため、領域Ｆに該当する成形品は存在しないこととなる。
【００５９】
したがって、上記の粉末成形品の製造方法においては、成形時に検出されるプレスの加圧力を利用して、秤量判定においても確実に良品とされる限定加圧力範囲を予め設定し、この限定加圧力範囲の加圧力で成形された成形品はその時点で良品として選別することができ、限定加圧力範囲外の加圧力で成形された成形品に対してのみ重量を測定することにより、全ての成形品の良品、不良品選別を行うことができる。
【００６０】
また、確実に良品とされる限定加圧力範囲に加えて、その範囲外の加圧力が検出された場合には確実に不良品とされる第２加圧力範囲を設定することにより、成形時の加圧力の検出によって確実に良品とされる成形品と、確実に不良品とされる成形品とを選別することができる。
【００６１】
さらに、限定加圧力範囲外で、かつ第２加圧力範囲内の加圧力で成形された成形品に対してのみ重量を測定することにより、全ての成形品の良品、不良品選別を行うことができる。
【００６２】
さらに、規定重量範囲又は第２加圧力範囲の範囲外であることによって不良品が特定され、不良品が発生した場合には、充填高さがフィードバック制御されるので、一定重量の成形品を連続的に成形することができ、生産精度及び生産性の向上を図ることができる。
【００６３】
よって、上記の粉末成形品の製造方法によれば、成形品を全数重量測定した場合と同じ精度を維持しつつ生産性の向上を図ることができる。
【００６４】
また、上記の粉末成形品の製造装置においては、圧力検出手段によって成形時の加圧力を検出し、検出された加圧力が限定加圧力範囲内であるか否かを圧力判定手段によって判定し、限定加圧力範囲内と判定された成形品を良品として選別することができる。
【００６５】
さらに、限定加圧力範囲外と判定された成形品は、重量測定手段によって重量が測定され、重量が規定範囲内であるか否かを重量判定手段によって判定し、規定重量範囲外と判定された成形品を不良品として選別することができ、不良品とされた成形品を不良品排出手段によって排除することができる。
【００６６】
この場合、圧力判定手段により限定加圧力範囲外であると判定された成形品に対してのみ重量を測定して全ての成形品の良品、不良品選別を行うことができる。
【００６７】
さらに、重量判定手段又は第２圧力判定手段によって規定重量範囲又は第２加圧力範囲の範囲外となる不良品が特定され、不良品が発生した場合には、フィードバック制御手段によって充填高さがフィードバック制御されるので、一定重量の成形品を連続的に成形することができ、生産精度及び生産性の向上を図ることができる。
【００６８】
よって、上記の粉末成形品の製造装置によれば、成形品を全数重量測定した場合と同じ精度を維持しつつ生産性の向上を図ることができる。
【図面の簡単な説明】
【００６９】
【図１】本発明の一実施形態に係る粉末成形品の製造装置の概略図である。
【図２】図１に示す粉末成形部の概略図である。
【図３】本発明の一実施形態に係る成形品の良品、不良品の判定方法を示すフロー図である。
【図４】本発明の粉末成形品の製造方法の一実施形態として示した限定加圧力範囲および第２加圧力範囲の設定例を示す図である。
【符号の説明】
【００７０】
１    粉末成形装置
２    支持テーブル
３    充填部
４    ダイ
５    上パンチ
６    下パンチ
７    フィーダーカップ
８    金型
１０  重量測定手段
１１  重量判定手段
１２  不良品排出手段
１３  圧力検出手段
１４  圧力判定手段
１５  第２圧力判定手段
１６  フィードバック制御手段
１７  充填高さ調整手段
Ｈ    充填高さ（リフト量）
Ｐ    粉末材料
【図１】
2006175499.tif 000003
【図２】
2006175499.tif 000004
【図３】
2006175499.tif 000005
【図４】
2006175499.tif 000006